(57)【要約】【課題】簡易な構造で防盗板の着脱作業性を確保しつつ、防盗板のいたずら行為に対しても高い安全性が確保できるように改良した商品取出口の防盗板支持構造を提供する。【解決手段】庫内の商品搬出通路に臨ませて外扉に設けた箱形の取出口フレーム６に商品取出扉，および防盗板８を備え、該防盗板８に形成した支軸８ａを取出口フレーム６の側壁６ａに穿設した軸受穴６ｂに挿通して吊り下げ支持した自動販売機の商品取出口において、前記支軸８ａの両端にアーム状の抜け止めフック８ｃを形成するとともに、フレーム側壁６ａに穿設した軸受穴６ｂを“滴形”の異形穴とし、かつ該軸受穴６ｂにはバーリング加工を施して穴周縁に鍔状のフランジ部６ｅを形成した上で、さらにフランジ部６ｅには軸受穴より外方に広がるようにカール曲げ加工を施し、防盗板８の吊り下げ状態で支軸８ａの抜け止めフック８ｃが軸受穴８ｂから擦り抜けないように拘束保持する。【選択図】図１
2013186812.tif 000002
【特許請求の範囲】
【請求項１】
庫内の商品搬出通路に臨ませてキャビネットの外扉に設けた取出口フレームの前面に商品取出扉、および該商品取出扉の背後にフラッパ構造の防盗板を備え、該防盗板はその上端縁に形成した支軸の両端を前記取出口フレームの左右側壁に開口した軸受穴に挿通して揺動自在に吊り下げ支持した自動販売機の商品取出口において、
前記防盗板の支軸の左右両端部にはその軸部周上から側方に突き出すアーム状の抜け止めフックを起立形成するとともに、該抜け止めフックに対向して前記取出口フレームの左右側壁には、所定の防盗板の着脱位置で前記抜け止めフックの擦り抜けを許容する異形の軸受穴を穿設した上で、該軸受穴にバーリング加工を施して前記抜け止めフックと対向する側にその先端の径が前記軸受穴の径よりも大きくなるように定めた鍔状のフランジ部を突き出し形成したことを特徴とする自動販売機の商品取出口。
【請求項２】
請求項１に記載の商品取出口において、バーリング加工により軸受穴の周縁に突き出し形成したフランジ部の先端周縁を軸受穴の外周側に向けてカール曲げ加工したことを特徴とする自動販売機の商品取出口。
【発明の詳細な説明】
【技術分野】
【０００１】
本発明は、缶，ビン，ペットボトルなどの商品を販売する自動販売機の商品取出口に関し、詳しくは商品取出口の内部に装備した防盗板の支持構造に係わる。
【背景技術】
【０００２】
先ず、頭記の自動販売機，および該自動販売機に備えた商品取出口の従来構造を図５〜図７に示す。先ず図５おいて、１は自動販売機のキャビネット、２は外扉、３は商品見本を陳列した電照室、４は販売操作パネル部、５は外扉２の下部に設けた商品取出口であり、販売指令を受けて庫内の商品収納ラック（不図示）から払出した商品が外扉２の内側に配した断熱内扉の商品搬出扉（不図示）を押し開いて商品取出口５に取り出される。
【０００３】
ここで、商品取出口６は図６，図７で示すように前後端面を開放した箱形構造になる取出口フレーム（枠体）６の前面開口部に撥ね上げ式の商品取出扉７（一般には透視可能な半透明な樹脂製）を配し、その背後に鋼板製の防盗板８を架設した構成になり、商品取出口５の背面が本体キャビネット１の断熱内扉９に設けた商品搬出扉９ａを隔てて庫内の商品搬出通路に通じている。また、防盗板８はその上縁部にカール曲げ加工を施して円筒状の支軸８ａを形成したフラッパ構造になり、商品取出口５を構成するフレーム６の前面間口を仕切る左右側壁６ａに穿設した軸受穴６ｂに前記支軸８ａの両端部を嵌挿して揺動自在に吊り下げ支持している。
【０００４】
上記の構成で、販売指令に基づき庫内の商品収納ラックから払出した商品１０は、商品搬出シュータ１１の傾斜面を転動し、商品搬出扉９ａを押し開いて商品取出口５の底部に搬出される。
【０００５】
ここで、商品取出口５から商品１０を取り出すには、前面の商品取出扉７に手をかけて前方に撥ね上げて開き、次に取出口フレーム６の中に手を差し入れて垂下している防盗板８を後方に押し込みながらフレーム６の底部に置かれた商品１０を掴んで外部に取り出す。この場合に防盗板８は後方に揺動し、その背後の商品搬出扉９ａを閉位置に押え込んで庫内の収納商品が不正に取り出せない防盗の役目を果たすことは周知の通りである。
【０００６】
ところで、商品取出口５に設けた前記防盗板８は、庫内収納商品の防盗機能がある反面、商品取出口５の中央位置に垂れ下がっているために、商品の取り操作には防盗板８が障害物となって商品が取り出し難くいことから、不正ないたずら行為による商品盗難のおそれが殆どない建屋内のロケーションに設置した自動販売機では、ユーザーの判断により商品の取出性を優先して商品取出口５から防盗板８を予め外して使用する要望，事例も多くある。
【０００７】
そこで、このような要望に答えて、商品取出口５に組み付けた防盗板８を工具などを使わずに外扉２の開放状態で扉の背後側から簡単に着脱操作できるようにするために次のように構成したものが知られている（例えば、特許文献１参照）。すなわち、図７で示すように防盗板８の左右側縁に外側方に突き出したタブ状の突出部８ｂを形成するとともに、商品取出口５を構成する取出口フレーム６の左右側壁６ａには、支軸８ａを中心に防盗板８を後方に大きく回動した位置で前記突出部８ｂに対応するスリット状の逃げ溝６ｃを形成する。この構造で、商品取出口５から防盗板８を取り外す場合には、自動販売機の外扉２（図５参照）を開放した状態で扉の背後側から防盗板８を手前に大きく引き上げて回動し、この回動位置で防盗板８を左右いずれかに寄せて前記突出部８ｂを側壁６ａに形成した逃げ溝６ｃに差し込む。これにより、防盗板８の支軸８ａは軸方向にスライド移動して反対側の軸端が軸受穴６ｂから抜け出す。したがって、防盗板８を簡単に商品取出口５から抜き外すことができる。
【０００８】
ところで、前記特許文献１に記載された構造では、商品取出口５に組み付けた防盗板８を工具などを使わずに外扉２を開放した状態で扉の背後側から簡単に着脱操作できる点で優れているが、防盗板８の支持強度面で次記のような課題がある。すなわち、いたずら行為により外扉２の前方から商品取出口５に手を差し入れて防盗板８を掴み、故意に大きな力を加えて引っ張ったり、押し込んだりすると、防盗板８の支軸８ａが長手方向に撓んでアーチ状，ないしＶ字状に変形するようになる。このように防盗板８をアーチ状，ないしＶ字状に撓ませると、支軸８ａの軸端が取出口フレーム６の側壁６ａに開口した軸受穴６ｂから内側に抜け出して防盗板８が外れてしまうおそれがある。
【０００９】
そこで、防盗板８を商品取出口５に組み付けた使用状態では、前記のようないたずら行為を受けても防盗板８が簡単に取り外せないようにして防盗性の信頼を高めつつ、自動販売機の管理者が外扉２を開放したメンテナンス時の状態では、工具などを使わずに防盗板８を外扉２の背面側から簡単に着脱操作できるようにした防盗板８の支持構造として、図８，図９に示すような構造が本発明と同一出願人より先に特願２０１０−２２７２３１号として出願されている。
【００１０】
この既提案の支持構造では、防盗板８の上端縁にカール曲げ加工して形成した支軸８ａに対してその左右両端部に、軸部周上から切り起こして防盗板８の本体板面と略同じ方向に延在するアーム状の抜け止めフック８ｃを形成している。一方、商品取出口５に組み込んだ箱形フレーム６の左右側壁６ａには図９に示すようなブッシュ構造になる異形の軸受部材１２（樹脂成形品）を嵌着し、この軸受部材１２を介して防盗板８の支軸８ａの両端を軸支するようにしている。
【００１１】
ここで、前記軸受部材１２は、その周上の一カ所で前記防盗板８の支軸８ａの両端に形成した前記の抜け止めフック８ｃが擦り抜けられるように、“滴形”形状の異形軸穴１２ｂが横向きに開口した輪郭形状体になり、スナップフィット爪１２ａ，係合フランジ１２ｃ，１２ｄを介して取出口フレーム６の側壁６ａに穿設した取付け穴へ図示のような横向き姿勢に嵌着している。そして、防盗板８を取出口フレーム６に装着するには、防盗板８を前記抜け止めフック８ｃが略水平になる姿勢（図９（ｂ）参照）に回動した上で、この抜け止めフック８ｃを支軸８ａとともに軸受部材１２の異形軸穴１２ｂに通して組み付ける。なお、前記の抜け止めフック８ｃに対向してフレーム６の天板には、防盗板８の前方開き角度を規制するストッパ６ｄが形成されている。
【００１２】
上記の構成により、図９（ａ）に示す防盗板８の吊り下げ支持状態では、抜け止めフック８ｃは軸受部材１２の異形軸穴１２ｂを貫通して側壁６ａの外側に垂下しているので、防盗板８ａを前後方向へ揺動してもフック８ｃが干渉することはない。また、この吊り下げ状態では、防盗板８を図示矢印の左右方向に寄せても、垂下姿勢の抜け止めフック８ｃが軸受部材１２の端面に突き当たって支軸８ａが軸受部材１２の異形軸穴１２ｂから抜け出すことができない（図示の“×”参照）。また、いたずら行為で防盗板８に力を加えてその支軸８ａを前後方向に無理やり撓ませようとしても、前記と同様に支軸８ａの両端に形成した抜け止めフック８ｃがストッパの役目を果たして支軸８ａの抜けを阻止する。
【００１３】
一方、自動販売機の管理者が外扉２（図５参照）を開いて扉の裏面側からアクセスし、防盗板８を後方に撥ね上げて所定の着脱位置（略水平姿勢）に回動すると、図９（ｂ）で示すように抜け止めフック８ｃが横向きとなる。したがって、この状態で防盗板８を図示矢印方向にスライドすると、抜け止めフック８ｃが軸受部材１２の異形軸穴１２ｂを擦り抜けてるので支軸８ａを自由に抜き差しできる（図示の“〇”印参照）。これにより、工具などを使わずに防盗板８を必要に応じて商品取出口５から簡単に着脱できる。
【００１４】
また、前記のように抜け止めフック８ｃに対向してフレーム６の天板にストッパ６ｄを形成しておくことにより、前方から商品取出口５に手を差し入れて防盗板８を前方へ無理やりこじ開けようとしても、抜け止めフック８ｃがストッパ６ｄの板面に突き当たって防盗板８をそれ以上前方に開くことができない。
【先行技術文献】
【特許文献】
【００１５】
【特許文献１】特開２００６−１４６５７５号広報
【発明の概要】
【発明が解決しようとする課題】
【００１６】
ところで、図８，図９に示した既提案の従来構造では、樹脂成形品で作製した別部品の軸受部材１２を用意して取出口フレーム６の側壁６ａに組み付け、この軸受部材１２に防盗板８を軸支するようにしている。このために部品点数，組立工数が増して製品コストが高くなる問題がある。
【００１７】
そのほか、従来構造では防盗板８が前記の樹脂製の軸受部材１２の間に軸支して吊り下げ支持されていることから、このままでは防盗板８に帯電した静電気を逃がすことができず、空気の乾燥している冬季などに自動販売機の利用者が防盗板８に手が触れたりすると静電気ショックを受けるおそれがある。そこで、従来構造では防盗板８の支軸８ａに放電用の突起を形成し、この突起を取出口フレーム６（太地側にアースされている）に設けた板ばね式の放電シューに当接させて防盗板８に静電気が帯電しないように配慮している。このため、防盗板８が揺動する際に、前記の突起と放電シューが擦れ合って不快な雑音が発生することがある。
【００１８】
そこで、本発明の目的は、先記した従来構造における樹脂成形品の軸受部材を省略してコストを低く抑えつつ、防盗板の簡易な着脱作業性、および商品取出口の前方から防盗板に加えられるいたずら行為に対する高い安全性を確保できるように改良した商品取出口の防盗板支持構造を提供することにある。
【課題を解決するための手段】
【００１９】
上記目的を達成するために、本発明によれば、庫内の商品搬出通路に臨ませてキャビネットの外扉に設けた取出口フレームの前面に商品取出扉、および該商品取出扉の背後にフラッパ構造の防盗板を備え、該防盗板はその上端縁に形成した支軸の両端を前記取出口フレームの左右側壁に開口した軸受穴に挿通して揺動自在に吊り下げ支持した自動販売機の商品取出口において、
前記防盗板の支軸の左右両端部にはその軸部周上から側方に突き出すアーム状の抜け止めフックを起立形成するとともに、該抜け止めフックに対向して前記取出口フレームの左右側壁には、所定の防盗板の着脱位置で前記抜け止めフックの擦り抜けを許容する異形の軸受穴を穿設した上で、該軸受穴にバーリング加工を施して前記抜け止めフックと対向する側にその先端の径が前記軸受穴の径よりも大きくなるように定めた鍔状のフランジ部を突き出し形成し（請求項１）、さらに前記フランジ部の先端周縁には軸受穴の外周側に向けてカール曲げ加工を施すようにする（請求項２）。
【発明の効果】
【００２０】
上記構成によれば、従来の支持構造における別部品の軸受部材（樹脂成形品）を省略して防盗板の支軸を取出口フレームの側壁に穿設した軸受穴で直接軸支保持するようにしたので、部品点数，組立工数を削減して製品コストの低減化が図れるとともに、防盗板の支軸保持機能についても次記のように優れた効果を発揮することができる。
（１）商品取出口の内部に防盗板を吊り下げた平時の使用状態では、防盗板の支軸端部に形成した抜け止めフックが取出口フレームの側壁に穿設してバーリング加工を施した異形の軸受穴を貫通してそのフランジ部の外側に突出しており、防盗板はフックの干渉を受けることなしに前後方向に自由に揺動可能である。また、防盗板の平時の揺動角度範囲では防盗板を左右方向に寄せても、前記の抜け止めフックが取出口フレームの側壁に開口した異形の軸受穴を擦り抜けることができないので防盗板が抜け出すこともない。また、不正ないたずら行為で外扉の前方から商品取出口に手を差し入れて防盗板を掴み、防盗板の支軸を取出口フレームの側壁から無理やり引き抜いて防盗板を外そうとしても、支軸の端部に形成した前記抜け止めフックが軸受穴に形成した鍔状のフランジ部に引っ掛かって軸の抜け出しを阻止するので高い防盗性を確保できる。
（２）一方、自動販売機の管理者が外扉を開いた状態で扉の背後から防盗板を指定の着脱位置に引き上げ、この着脱位置で防盗板の支軸を左右いずれかの方向にスライドさせることにより、支軸の端部に形成した抜け止めフックが取出口フレームの側壁に穿設した異形軸受穴を擦り抜けて自由に抜き差しできるようになる。これにより、工具などを使わずに自動販売機のロケーション先で必要に応じて防盗板を簡単な作業で商品取出口に着脱することかできる。
（３）また、バーリング加工して前記軸受穴の周縁の起立形成した鍔状のフランジ部の先端周縁を外方にカール曲げ加工したことにより、防盗板の支軸が多少撓んで長手方向に湾曲しても前記フランジ部の内周面に支軸が摺動して不快な擦れ音を発するおそれがなく、また防盗板の支軸がフランジ部の先端の鋭利な角部に接触して削られたり、防盗板の揺動の妨げとなることもなくて防盗板の揺動の動きがスムーズになる。
【図面の簡単な説明】
【００２１】
【図１】本発明の実施例による防盗板支持構造を表す図であって、取出口フレームに穿設した異形の軸受穴形状を表す俯瞰図である。
【図２】図１の取出口フレームに防盗板を軸支装着する組立手順の説明図である。
【図３】図１の取出口フレームに防盗板を軸支した組立状態を表す図２のＡ部に対応した拡大図である。
【図４】図１における矢視Ｘ−Ｘの断面図である。
【図５】本発明の実施対象となる自動販売機全体の外観図である。
【図６】図５における商品取出口の側視断面視図である。
【図７】図５における商品取出口の組立構造を庫内側から見た俯瞰図である。
【図８】樹脂成形品の軸受部材を取出口フレームの側壁に装着した既提案の防盗板支持構造を表す俯瞰図であって、（ａ），（ｂ）はそれぞれ平時の吊り下げ状態，防盗板を着脱位置に回動した状態を表す図である。
【図９】図８における軸受部材の斜視図である。
【発明を実施するための形態】
【００２２】
以下、本発明の実施の形態を図１〜図４に示す実施例に基づいて説明する。なお、図示実施例において、図７に対応する同一部材には同じ符号を付してその説明は省略する。
まず、図示実施例の商品取出口５の基本的な構造，機能は図６，図７に示した従来構造の商品取出口と同様である。また、前記防盗板８の上縁に形成した支軸（カール軸）８ａの両端部には図８と同様なアーム状の抜け止めフック８ｃが形成され、さらにこの抜け止めフック８ｃに対向して取出口フレーム６の天板には、図８の構造と同様に防盗板８の回動角度を規制するストッパ６ｄが形成されている。一方、取出口フレーム６の左右側壁６ａには、図８，図９で述べた別部品の軸受部材１２を用いる代わりに、次記のような異形の軸受穴６ｂを穿設し、この軸受穴６ｂに防盗板８の支軸８ａの軸端を直接嵌挿して防盗板８を揺動自在に保持するようにしている。
【００２３】
ここで、前記の軸受穴６ｂは、図１で示すような“滴形”形状の異形穴にバーリング加工を施し、その穴の周縁に沿って取出口フレーム６の側壁６ａの外面側に起立する鍔状のフランジ部６ｅを形成した上で、さらにこのフランジ部６ｅの先端周縁にカール曲げ加工を施し、その先端側が図４で示すように軸受穴６ｂの外方に向けて拡大する断面形状としている。なお、図４でφは軸受穴６ｂの内径、φａはフランジ部６ｅの先端外径であり、軸受穴６ｂの内周はバーリング加工によりＲ面を呈している。
【００２４】
上記の構成による防盗板の軸支機能は、図８，図９で述べた従来の軸受部材１２と同様であり、防盗板８の吊り下げ状態では、図３で示すように防盗板８の支軸８ａの軸端部が取出口フレーム６の側壁６ａに穿設した軸受穴６ｂの内周Ｒ面にガイドされて揺動自在に軸支保持される。また、この防盗板８の吊り下げ状態では、支軸８ａの両端に形成した抜け止めフック８ｃが軸受穴６ｂに起立形成したフランジ部６ｅの周縁に当たってこの位置に拘束されるので、支軸８ａを左右方向にスライドさせようとしても軸受穴６ｂから抜け出すおそれはなく、これにより防盗板８を無理やりこじ開けようとするいたずら行為も安全に防ぐことができる。
【００２５】
また、軸受穴６ｂから外側に起立する前記フランジ部６ｅは、その先端側の周縁が外方に向けカール曲げ加工されているので、防盗板８の支軸８ａが長手方向に多少反ってしていても、支軸８ａがフランジ部６ｅの壁面に当接して擦られることもないので防盗板８はスムーズに揺動する。
【００２６】
さらに、防盗板８は支軸８ａを介して太地側にアースされている板金製の取出口フレーム６の軸受穴６ｂに直接接触しているので、防盗板８に静電気が帯電することがないので、樹脂製の軸受部材を介して防盗板を軸支した図８の防盗板取付構造に設けていた放電シューなどの静電気防止対策の必要もない。
【００２７】
一方、自動販売機の管理者が必要に応じて商品取出口から防盗板８を取り外す場合には、図８の取付構造と同様に、自動販売機の外扉２（図５参照）を開放した状態で、扉の背後から防盗板８を所定の着脱位置に回動した上で、さらに防盗板の支軸８ａを横にスライドして左右いずれかの方向に寄せることにより、支軸８ａの両端に形成した抜け止めフック８ｃがフレーム側壁６ａに穿設した“滴形”の異形軸受穴６ｂを擦り抜けて防盗板８を簡単に取り外すことができる。
【００２８】
以上述べたように、図示実施例の防盗板支持構造によれば、図９に示した従来の軸受部材を省略して部品点数，組立工数を削減してコストの低減化を図りつつ、従来の支持構造と同等な防盗板の揺動支持、およびいたずら防止機能を確保することかできる。
【符号の説明】
【００２９】
５    商品取出口
６    取出口フレーム
６ａ  側壁
６ｂ  軸受穴
６ｄ  ストッパ
６ｅ  フランジ部
７    商品取出扉
８    防盗板
８ａ  支軸
８ｃ  抜け止めフック
【図１】
2013186812.tif 000003
【図２】
2013186812.tif 000004
【図３】
2013186812.tif 000005
【図４】
2013186812.tif 000006
【図５】
2013186812.tif 000007
【図６】
2013186812.tif 000008
【図７】
2013186812.tif 000009
【図８】
2013186812.tif 000010
【図９】
2013186812.tif 000011